(57)【要約】【課題】極めて簡単に施工することができる上にその維持管理にほとんど手間とコストがかからず、しかも、灌水装置を必要とせずにまるで芝生を生やしたかのような鮮やかな緑色の状態で緑化でき、また、季節によって落葉を生じることもないため落ち葉を除去したりする必要もない極めて実用性に秀れた画期的な苔を用いる緑化装置並びに苔を用いる緑化方法を提供すること。【解決手段】苔を用いて所定の部位を緑化するための緑化装置であって、浅箱状に形成した収納体１の底部に凹部２を多数形成し、この多数の凹部２に対して架設状態となるように通水性を有する敷板３を配設し、この敷板３上に、苔４を生育させるための土壌５を収納し得るように前記収納体１を構成した苔を用いる緑化装置。【選択図】        図４
2004248631.tif 000002
【特許請求の範囲】
【請求項１】
苔を用いて所定の部位を緑化するための緑化装置であって、浅箱状に形成した収納体の底部に凹部を多数形成し、この多数の凹部に対して架設状態となるように通水性を有する敷板を配設し、この敷板上に、苔を生育させるための土壌を収納し得るように前記収納体を構成したことを特徴とする苔を用いる緑化装置。
【請求項２】
前記多数の凹部を収納体の底部に、一様に形成若しくは略全範囲にわたって形成したことを特徴とする請求項１記載の苔を用いる緑化装置。
【請求項３】
前記多数の凹部内に水が所定量以上貯まった際に、この所定量以上の水を収納体外へ排出するためのオーバーフロー孔を前記収納体に設けたことを特徴とする請求項１，２のいずれか１項に記載の苔を用いる緑化装置。
【請求項４】
前記敷板を、保水性を有する素材で形成したことを特徴とする請求項１〜３のいずれか１項に記載の苔を用いる緑化装置。
【請求項５】
苔を用いて所定の部位を緑化する緑化方法であって、底部に多数の凹部を設けた浅箱状の収納体内に、通水性を有する敷板を前記多数の凹部に対して架設状態となるように配設し、この敷板上に土壌を収納してこの土壌に苔を全面的に生育し得るようにし、前記多数の凹部に水を貯め、この多数の凹部内の水により、前記苔を灌水装置を用いることなく生育し、この苔を生育した収納体を前記所定の部位に並設載置することでこの所定の部位を緑化することを特徴とする苔を用いる緑化方法。
【請求項６】
前記収納体として、前記多数の凹部を底部に一様に形成若しくは略全範囲にわたって形成した収納体を採用することを特徴とする請求項５記載の苔を用いる緑化方法。
【請求項７】
前記収納体として、前記多数の凹部に所定量以上の水が貯まった際に、この所定量以上貯まった水を収納体外に排出するオーバーフロー孔を底部に設けた収納体を採用することを特徴とする請求項５，６のいずれか１項に記載の苔を用いる緑化方法。
【請求項８】
前記敷板として、保水性を有する素材で形成した敷板を採用することを特徴とする請求項５〜７のいずれか１項に記載の苔を用いる緑化方法。
【請求項９】
前記所定の部位を屋上とすることを特徴とする請求項５〜８のいずれか１項に記載の苔を用いる緑化方法。
【発明の詳細な説明】
【０００１】
【発明の属する技術分野】
本発明は、苔を用いる緑化装置並びに苔を用いる緑化方法に関するものである。
【０００２】
【従来の技術及び発明が解決しようとする課題】
例えば、建物の屋上を緑化する緑化装置は様々なものが提案されているが、一般的な緑化装置は以下のような構成である。
【０００３】
緑化したい屋上の所定部位を、コンクリートや合成樹脂のパネル等により形成した枠で囲繞して仕切壁を形成し、この仕切壁内に防水シート及び防根シートを敷設し、この防水シート及び防根シート上に排水層を配設し、この排水層上に土壌を敷設し、この土壌内に人工的に水を供給する灌水装置を設けて土壌に所望の植物を植える。尚、仕切壁には排水層に供給される水を排水するための水抜き穴を設けている。
【０００４】
この緑化装置によれば、降雨等により緑化部位に水分が過剰に供給された際には、この過剰な水分は、土壌を通過して排水層に達し、仕切壁に形成した水抜き穴を介して仕切壁外（緑化部位外）へ排水され、一方、少雨のために土壌中の水分が減少した際には、灌水装置によって土壌中の水分量を供給し、これにより、土壌の含水量を適度に保つことで植物を植生することができ、屋上を緑化することができる。
【０００５】
ところで、屋上を緑化する場合には、地上において緑化を行う場合と異なり、様々な問題点がある。
【０００６】
先ず、建物の屋上において緑化部位を形成するために施工に非常に手間がかかるという問題点がある。
【０００７】
屋上において上述したような緑化装置を形成する場合には、この緑化装置を形成するための様々な部材（コンクリート，排水層及び土壌等）や機械，器具類を屋上へ運搬した上で、例えばコンクリートで仕切壁等を形成し、この仕切壁内に防水シート等を敷設して排水層を配設し、この排水層上に土壌を敷設して植物を植えるといった施工を行わなければならず、非常に手間がかかりコスト高となってしまう問題点がある。
【０００８】
また、少雨時に植物に水を供給するための灌水装置も屋上に設けなければならず、そのため、装置が複雑となって一層コスト高となり、更に、その維持管理（経時による劣化や電気代等）にも非常に手間とコストがかかるという問題点がある。
【０００９】
また、屋上には風を遮るものがないために度々強風となり、そのため、植物の葉が飛散したり、土壌に植生する植物が倒れたり、土壌自体が飛散してしまうという問題点がある。
【００１０】
また、屋上で植えられることの多い広葉樹は秋になると落葉するため、屋上に落ち葉が飛散して汚れたり、屋上の排水口が落ち葉により目詰まりを起こし、その都度、屋上を掃除しなければならいなど、非常に煩わしいという問題点がある。
【００１１】
本発明は、上述した問題点を解決すべく鋭意研究，検討を重ねた末、これを解決したもので、極めて簡単に施工することができる上にその維持管理にほとんど手間とコストがかからず、しかも、灌水装置を必要とせずにまるで芝生を生やしたかのような鮮やかな緑色の状態で緑化でき、また、季節によって落葉を生じることもないため落ち葉を除去したりする必要もなく、特に様々な制限を受ける屋上の緑化に最適な極めて実用性に秀れた画期的な苔を用いる緑化装置並びに苔を用いる緑化方法を提供することを目的としている。
【００１２】
【課題を解決するための手段】
添付図面を参照して本発明の要旨を説明する。
【００１３】
苔を用いて所定の部位を緑化するための緑化装置であって、浅箱状に形成した収納体１の底部に凹部２を多数形成し、この多数の凹部２に対して架設状態となるように通水性を有する敷板３を配設し、この敷板３上に、苔４を生育させるための土壌５を収納し得るように前記収納体１を構成したことを特徴とする苔を用いる緑化装置に係るものである。
【００１４】
また、前記多数の凹部２を収納体１の底部に、一様に形成若しくは略全範囲にわたって形成したことを特徴とする請求項１記載の苔を用いる緑化装置に係るものである。
【００１５】
また、前記多数の凹部２内に水が所定量以上貯まった際に、この所定量以上の水を収納体１外へ排出するためのオーバーフロー孔６を前記収納体１に設けたことを特徴とする請求項１，２のいずれか１項に記載の苔を用いる緑化装置に係るものである。
【００１６】
また、前記敷板３を、保水性を有する素材で形成したことを特徴とする請求項１〜３のいずれか１項に記載の苔を用いる緑化装置に係るものである。
【００１７】
また、苔を用いて所定の部位を緑化する緑化方法であって、底部に多数の凹部２を設けた浅箱状の収納体１内に、通水性を有する敷板３を前記多数の凹部２に対して架設状態となるように配設し、この敷板３上に土壌５を収納してこの土壌５に苔４を全面的に生育し得るようにし、前記多数の凹部２に水を貯め、この多数の凹部２内の水により、前記苔４を灌水装置を用いることなく生育し、この苔５を生育した収納体１を前記所定の部位に並設載置することでこの所定の部位を緑化することを特徴とする苔を用いる緑化方法に係るものである。
【００１８】
また、前記収納体１として、前記多数の凹部２を底部に一様に形成若しくは略全範囲にわたって形成した収納体１を採用することを特徴とする請求項５記載の苔を用いる緑化方法に係るものである。
【００１９】
また、前記収納体１として、前記多数の凹部２に所定量以上の水が貯まった際に、この所定量以上貯まった水を収納体１外に排出するオーバーフロー孔６を底部に設けた収納体１を採用することを特徴とする請求項５，６のいずれか１項に記載の苔を用いる緑化方法に係るものである。
【００２０】
また、前記敷板３として、保水性を有する素材で形成した敷板３を採用することを特徴とする請求項５〜７のいずれか１項に記載の苔を用いる緑化方法に係るものである。
【００２１】
また、前記所定の部位を屋上とすることを特徴とする請求項５〜８のいずれか１項に記載の苔を用いる緑化方法に係るものである。
【００２２】
【発明の実施の形態】
好適と考える本発明の実施の形態（発明をどのように実施するか）を、図面に基づいてその作用効果を示して簡単に説明する。
【００２３】
例えば、苔４を生育させた土壌５を収納する収納体１に降雨などにより水分が供給されると、この水分は土壌５を通過して敷板３に達し、敷板３に達した水分は敷板３の通水性によりこの敷板３を通過して収納体１の底部に形成した多数の凹部２内に貯まることとなる。
【００２４】
そして、少雨時、即ち、乾燥時には、凹部２内に貯まった水分が水蒸気となって徐々に蒸発し、敷板３を介して土壌５内に供給されることで土壌５に含まれる水分量が増加することとなり、この土壌５で生育された苔４が前記水分を吸収することで良好に生育できることとなる。
【００２５】
前記苔４は、植物の多くが有するような、水分を吸収するための根を有さず、水分や養分を体表面の全細胞から吸収する性質を有する。尚、苔４は水分を水蒸気の状態で吸収し生育できる性質を有する。
【００２６】
そのため、少量の水分で苔４を生育させることができ、即ち、通常の降雨により十分に生育させることができ、よって、例えば苔４を屋上で生育させる場合には灌水装置を設ける必要がない。
【００２７】
尚、苔４は、通常、水辺や樹木の下等の湿度の高い環境に生育することが多いが、種類によっては乾燥に適応した種も存在し、長期間の乾燥に絶えて岩上や砂上に生存できるものもある。
【００２８】
また、苔４は、毛状の仮根を有し（この仮根は水分を吸収するための根とは異なる。）、この毛状の仮根によって土壌，石及び岩などに強い密着力で着生する性質を有する。
【００２９】
そのため、強風時にも土壌などから剥がれて飛散してしまうことがない。
【００３０】
また、苔４は、広葉樹などと異なり、季節によって落葉することがないため、苔４を生育させた周囲を落ち葉で汚したり、例えば屋上に配設した場合には、排水口を目詰まりさせることもない。
【００３１】
また、苔４は、土壌５の表面部で生育し、高く伸長することがない植物であるため、非常に軽量である。
【００３２】
そのため、収納体１に収納する土壌５の厚さを薄く設定でき、苔４自体も軽量であるために苔４を生育させた土壌５を収納する収納体１の重量を非常に軽量に設定することができる。
【００３３】
また、苔４は、非常に鮮やかな緑を有する性質がある。
【００３４】
そのため、例えば、苔４を隙間なく敷き詰めることで、いわば芝生を生やしたような鮮やかな緑色の状態で所定の部位を緑化できることとなる。
【００３５】
また、本発明は、苔４を土壌５で生育する際、収納体１に収納した土壌５に例えば市販されている苔４を単に載置するだけで、土壌５上で生育できることとなる。
【００３６】
そのため、例えば、鉢の中に花を植えたりするときのように、鉢に土壌や肥料等を入れて種を撒いたり球根を植えたりし、毎日水やりを行って発芽させて花を咲かせる等の煩わしさがない。
【００３７】
また、収納体１の底部には、前記多数の凹部２に対して架設状態となるように、通水性を有する敷板３を配設したことで、敷板３上に収納される土壌５が収納体１の底部に形成した多数の凹部２内に流入することを阻止しつつ収納体１内に供給された水を凹部２内に確実に貯められることとなる。
【００３８】
即ち、本発明は、収納体１の底部に形成した多数の凹部２内に、苔４を生育させるのに十分な量の水を貯めることができ、また、苔４は、前述のように、体表面の全細胞で水蒸気を取り込んで生育できるため、少雨などにより乾燥した状態が長期間続いても、苔４に水分を供給し続けられることとなり、よって、苔４を長期間に亙って良好に生育させ続けられることとなる。
【００３９】
このように、本発明の緑化装置は長期間に亙って水分を苔４に供給し続けられる構成であるため、この間に再び雨が降ったり、苔４に露が付着したりして収納体１内に水分が供給されるため、水やりをしたり灌水装置を設けたりする必要がほとんどなく、仮に乾燥状態が極めて長期間に亙った場合には、例えば前記凹部２に水が満ちる位まで散水してやることで、再び長期間に亙って手間いらずの状態で苔４を良好に生育させることができることとなる。
【００４０】
また、前記苔４は、浅箱状の収納体１に収納した土壌５上で生育するため、所定の部位に苔４を生育させた収納体１を運搬し単に並設載置するだけで、前記所定の部位を緑化できることとなる。
【００４１】
従って、本発明は、土壌５に苔４を生育させた軽量な浅箱状の収納体１を単に所定の部位に並設して載置するだけの極めて簡単な施工により前記所定部位を緑化することができ、また、苔４は少量の水分で生育できるため、例えば屋上を緑化したい場合には、灌水装置を用いることなく苔４を生育させることができ、仮に少雨が続いて土壌５等が乾燥状態となっても、収納体１の底部に形成した凹部２には苔４を生育させるのに十分な量の水が貯められているため、この水が蒸発して敷板３を介して土壌５に供給されることで、土壌５で苔４を良好に生育させることができ、しかも、苔４は鮮やかな緑色を有するため、いわば芝生を生やしたかのような鮮やかな緑色の状態で所定の部位を緑化することができ、更に、苔４は安価に入手でき、装置自体の構成も簡易なため、非常にコスト安に所定の部位を緑化することができる極めて実用性に秀れた画期的な苔を用いる緑化装置並びに苔を用いた緑化方法となる。
【００４２】
また、例えば、前記多数の凹部２を収納体１の底部に、一様に形成若しくは略全範囲にわたって形成すれば、降雨時などに多数の凹部２に貯められた水を、少雨によって土壌５等が乾燥状態となった際に、底部から敷板３を介して土壌５の一様に若しくは土壌５の略全範囲に供給できるため、土壌５で生育する苔４に満遍なく水分を供給でき、これにより、土壌５に生育する苔４を全体的に良好に生育できることとなるなど、一層実用的となる。
【００４３】
また、例えば、前記多数の凹部２内に水が所定量以上貯まった際に、この所定量以上の水を収納体１外へ排出するためのオーバーフロー孔６を前記収納体１に設ければ、降雨などにより収納体１に過剰に水分が供給されても、土壌５や苔４が水に浸って収納体１から過剰な水が溢れ出てしまうことがなく、また、苔４を生育させるのに十分な量の水を収納体１の底部に保持できることとなるため、乾燥状態が長期間に亙ったとしても、土壌５に水を良好に供給でき、よって、苔４を長期間に亙って鮮やかな緑色の状態で良好に生育させることができることとなるなど、一層実用的となる。
【００４４】
また、例えば、前記敷板３を、保水性を有する素材で形成すれば、前記多数の凹部２に貯められる水以外にも、敷板３内に多量の水分を保持できることとなるため、少雨による乾燥状態が一層長期間に及んだとしても、この敷板３に保持した水分も土壌５に供給して苔４を枯らすことなく生育させることができ、そのため、鮮やかな緑を有する状態を一層長期間にわたって維持できることとなる。
【００４５】
しかも、この敷板３の下方には、前述のように多数の凹部２が形成されているため、例えば敷板３内の水分量が少なくなった場合には、多数の凹部２内に貯められた水が徐々に蒸発し、この蒸発した水分が敷板３内に供給されて保持され、この敷板３内に保持された水分が土壌５内に供給されることで、土壌５内に水分を供給できることとなるため、乾燥状態が更に長期間に亙っても、苔４に水分を良好に供給し続けられることとなる。
【００４６】
また、敷板３を保水性を有する素材で形成することで、凹部２内に貯められた水（水分）が敷板３に対して偏って供給されたとしても、この水分が保水性を有する敷板３内で一旦保持されてから土壌５内に供給されることで、水分は敷板３内に満遍なくいき渡ってから土壌５に供給されることとなるため、土壌５に満遍なく水分を供給できることとなる。
【００４７】
即ち、例えば、収納体１の底部に凹部２を所定の間隔を設けて形成した構成とし（例えば特に大きな間隔を設けて形成した構成とし）、これらの凹部２に近接する敷板３に水分が供給されることとなることで、水分が敷板３に対してまばらに供給されても、敷板３は保水性を有する素材で形成されているため、敷板３の全体に水分が徐々にいき渡り、この敷板３の全体にいき渡った水分が土壌５に供給されることとなるため、土壌５へは水分が満遍なく全体的に供給されることとなり、これにより、土壌５に生育した苔４に水分を満遍なく供給して全体的に鮮やかな緑色の状態で生育させられることとなるなど、一層実用的となる。
【００４８】
また、上述した苔を用いる緑化装置を、緑化したい所定の部位に単に並設載置するだけで、この所定の部位を緑化することができる極めて実用性に秀れた画期的な苔を用いる緑化方法となる。
【００４９】
即ち、底部に多数の凹部２を形成した浅箱状の収納体１内に、通水性を有する敷板３を前記多数の凹部２に対して架設状態となるように配設し、この敷板３上に土壌５を収納してこの土壌５に苔４を全面的に生育させ、この苔４を生育させた収納体１を前記所定の部位に並設載置するだけで、前記所定の部位を緑化することができる極めて実用性に秀れた画期的な苔を用いる緑化方法となる。
【００５０】
また、例えば前記所定の部位を屋上とすれば、土壌５で苔４を生育させた軽量な収納体１を屋上に運搬し、所定の箇所に単に載置するだけで、屋上を、まるで芝生を生やしたかのような鮮やかな緑色で緑化することができ、しかも、苔４は、前述のように極めて少量の水で生育できるため、屋上に灌水装置を設ける必要もなく、よって、極めて簡易な構成にしてコスト安に施工することができ、更に、苔は強風でも飛散してしまうことがなく、また、季節によって落葉することもないため、屋上緑化における維持管理を手間いらずで行うことができる極めて簡易に行えることとなるなど、一層実用的となる。
【００５１】
【実施例】
図面は本発明の一実施例を図示したものであり、以下に説明する。
【００５２】
本実施例は、浅箱状に形成した収納体１の底部に凹部２を多数形成し、この多数の凹部２に対して架設状態となるように通水性を有する敷板３を配設し、この敷板３上に、苔４を生育させるための土壌５を収納し得るように構成した前記収納体１を用いて建物７の屋上を緑化する緑化技術に関するものである（図１参照）。
【００５３】
収納体１としては、平面視長方形状のトレー体（即ち育苗箱）を採用している。
【００５４】
本実施例の収納体１は、廃材を用いて成形したリサイクルトレー体を採用している。
【００５５】
また、収納体１の大きさは、容易に持ち運びできる大きさに設定した構成としている。
【００５６】
尚、本実施例では、収納体１として育苗箱を採用したが、屋上緑化専用の収納体を形成して使用しても良い。
【００５７】
この収納体１の底部に、降雨などにより収納体１内に供給された水分を貯めるための凹部２を多数形成した構成としている（図４参照）。
【００５８】
この多数の凹部２は、収納体１の底部に、一様に形成若しくは略全範囲にわたって形成した構成としている。
【００５９】
本実施例においては、図３に示すように、多数の凹部２を収納体１の底面の略全範囲にわたって碁盤目状に形成した構成としている。
【００６０】
これにより、収納体１の底部に、より多量の水分を貯めることができ、また、凹部２上の敷板３に、全体的に水分を供給することができる。
【００６１】
また、夫々の凹部２は、逆角錐形状に形成した構成としている。
【００６２】
尚、凹部２は、水を所定量貯めることができる形状であれば、特に所定の形状に限られるものではなく、例えば、逆円錐形状でも良いし、半球状でも良い。
【００６３】
収納体１の底部には、図３，図４に示すように、多数の凹部２内に水が所定量以上貯まった際に、この所定量以上の水を収納体１外へ排出するためのオーバーフロー孔６を設けた構成としている。
【００６４】
具体的には、前述した多数の凹部２間にオーバーフロー孔６を設けた構成としている。
【００６５】
更に具体的には、図３に示すように、碁盤目状に形成した多数の凹部２の上縁四隅部（収納体内底部の外縁部を除く。）にオーバーフロー孔６を設けた構成としている。
【００６６】
即ち、凹部２の上縁角部にして、隣接する凹部２の上縁角部ともなる部位（収納体内底部の外縁部を除く。）にオーバーフロー孔６を設けた構成としている。
【００６７】
言い換えれば、多数の凹部２を設けることで、この多数の凹部２の周囲に形成される多数の凸部の頂面にオーバーフロー孔６を設けた構成としている。
【００６８】
これにより、降雨などにより凹部２に水が過剰に加えられ溢れそうになると、このオーバーフロー孔６から前記過剰な水が収納体１外へ排出されることなり、よって、前記過剰な水が敷板３を越えて土壌５中に浸透し、苔４が水に浸ってしまうような事態を回避することができ、また、凹部２には、苔４を生育させるのに十分な量の水を貯めておくことができる。
【００６９】
尚、本実施例では、オーバーフロー孔６を各凹部２の上縁角部に設けた構成としたが、このオーバーフロー孔６を設ける位置は、収納体１の底部よりも高い位置に設けても良く、例えば、敷板３を配設した高さ位置の収納体１側壁部に設けても良いし、土壌５を収納した高さ位置の収納体１側壁部に設けても良い。
【００７０】
この収納体１の底部に、前記多数の凹部２に対して架設状態となるように通水性を有する敷板３を敷設した構成としている（図４参照）。
【００７１】
即ち、敷板３は、収納体１の底部に略合致した形状，大きさに形成し、この敷板３を収納体１の底部に配設した際、前述した多数の凹部２にいわば蓋をするような状態となる構成としている。
【００７２】
尚、敷板３は、通水性を有するもの（構造）であれば、木製や金属製でも合成樹脂製でも良く、即ち、例えば木製や金属製や合成樹脂製の板材に通水孔を多数穿設して形成した構成としても良いし、金属製若しくは合成樹脂製のフィルターを構成しても良い。
【００７３】
本実施例では、敷板３として、保水性を有する素材で形成した敷板３を採用した構成としている。
【００７４】
具体的には、敷板３として、合成樹脂製マットを採用した構成としている。
【００７５】
更に具体的には、前記合成樹脂製マットとしてポリウレタンフォームを採用した構成としている。
【００７６】
これにより、降雨などにより収納体１内に水分が供給され、この水分が土壌５を通過して敷板３（ポリウレタンフォーム３）に達した際、この水分をポリウレタンフォーム３に吸収して保持できることとなる。
【００７７】
そして、少雨などにより、土壌５内の水分量が減少した際に、このポリウレタンフォームから、保持していた水分が蒸発したり水のまま供給されることで、この水蒸気等が土壌５に浸透し、土壌５で生育する苔４がこの水蒸気（水）を吸収することで、苔４を良好に生育させることができることとなる。
【００７８】
従って、前述の苔を生育させるのに十分な量の水を貯められる多数の凹部２と相俟って、土壌５で生育する苔４に十分に水分を供給できるため、乾燥状態が仮に極めて長期間続いてたとしても、苔４を枯らさずに鮮やかな緑色の状態で良好に生育させて緑化することができる。
【００７９】
尚、本実施例のポリウレタンフォーム３は、収納体１の底部と、収納体１に収納される土壌５との間に配設されることで、前記多数の凹部２内に土壌５を流入させないためのフィルターとしての役割も果たしている。
【００８０】
また、ポリウレタンフォーム３の厚さは、十分な保水性を発揮でき、収納体１内の土壌５を凹部２内に流入させず、過剰な水分を凹部２内に流入させて貯め得る厚さに設定すると良い。
【００８１】
土壌５としては、通常の土壌を用いた構成としている。
【００８２】
尚、通常の土壌の他にも、苔４を良好に生育させ得るものであれば、適宜採用しても良い。
【００８３】
苔４は、種類を問わず、様々な苔を採用している。
【００８４】
即ち、例えば、カモジゴケ，シノブゴケ，スギゴケ，ヒノキゴケ，ホソバオキナゴケ等を採用している。
【００８５】
次に、本実施例の作用について説明する。
【００８６】
浅箱状の収納体１（育苗箱１）に通水性を有する敷板３（ポリウレタンフォーム３）を、多数の凹部２に対して架設状態となるように配設し、このポリウレタンフォーム３上に土壌５を収納してこの土壌５に苔４を全面的に生育（着生）させる。
【００８７】
この苔４を着生した土壌５を収納する収納体１を、屋上の緑化したい箇所に並べて載置することで、この屋上の所定箇所を緑化する。
【００８８】
即ち、図１に示すように、苔４を着生した土壌５を収納した収納体１を隙間なく並べたり、図２に示すように、所々に岩８などを介して載置することで、様々なアレンジにより屋上を緑化することができる。
【００８９】
収納体１は、前述したように、平面視方形状で容易に持ち運びできる大きさに形成しているため、例えば、予め工場などで収納体１に土壌５などを収納しこの土壌５に苔４を着生しておき、この収納体１を単に現場へ運搬し並べて載置するだけで、屋上を簡単に緑化することができる。
【００９０】
そのため、従来のように、緑化部位を形成するための部材や機械器具類を屋上に運び上げた上で屋上を工事し、緑化部位を形成する必要がなく、また、予め屋上の緑化したい部位の寸法を正確に計測してその寸法に合うように収納体１を形成せずとも、複数の収納体１が略収まるように所定の形状に収納体１を並べて載置していくことで屋上を緑化することができるため、手間をかけずに非常に簡単に屋上緑化を行うことができる。
【００９１】
降雨などにより、苔４を着生した土壌５を収納する収納体１に水分が供給されると、この水分は苔４を介して土壌５中に浸透し、この土壌５中に浸透した水分のうち過剰な水分は土壌５下方のポリウレタンフォーム３に達して吸収されて保持され、更に過剰な水分は、ポリウレタンフォーム３から凹部２内に達してこの凹部２内に貯まることとなる。
【００９２】
そして、更に水分が供給されて凹部２内に貯まった水分がこの凹部２内から溢れ出そうになると、各凹部２の上縁角部に設けたオーバーフロー孔６から、収納体１外へ排出されることとなる。
【００９３】
これにより、降雨などにより、収納体１に水分が供給されると、ポリウレタンフォーム３と凹部２との両方に水分を保持できることとなる。
【００９４】
一方、少雨などにより収納体１内が乾燥状態となると、ポリウレタンフォーム３に保持された水分が徐々に蒸発していくことで土壌５内に水分が供給され、この土壌５に供給された水分を苔４が吸収することで、長期間乾燥状態が続いても、苔４を枯れることなく良好に生育できることとなる。
【００９５】
また、更に乾燥状態が続いて、ポリウレタンフォーム３内の水分が少なくなったり無くなってしまった場合には、降雨時などに凹部２に貯められた水が蒸発してポリウレタンフォーム３を介して土壌５に水分が供給されるため、これにより、乾燥状態がより長期間にわたっても、土壌５に着生した苔４を良好に生育できることとなる。
【００９６】
尚、本発明は、本実施例に限られるものではなく各構成要件の具体的構成は適宜設計し得るものである。
【００９７】
【発明の効果】
本発明は上述のように構成したから、苔を生育させた土壌を収納する軽量な浅箱状の収納体を単に所定の部位に並設して載置するだけの極めて簡単な施工により、前記所定部位を緑化することができ、また、苔は少量の水分で生育できるため、例えば屋上を緑化したい場合には、灌水装置を用いることなく苔を生育させることができ、仮に少雨が続いて土壌等が乾燥状態となっても、収納体の底部に形成した凹部には苔が生育するのに十分な量の水が貯められているため、この水が蒸発して敷板を介して土壌に供給されることで、土壌で苔を良好に生育させることができ、しかも、苔は鮮やかな緑色を有するため、まるで芝生を生やしたかのような鮮やかな緑色の状態で所定の部位を緑化することができ、更に、苔は安価に入手でき、装置自体の構成も簡易なため、非常にコスト安に所定の部位を緑化することができる極めて実用性に秀れた画期的な苔を用いる緑化装置となる。
【００９８】
また、請求項２記載の発明においては、降雨時などに多数の凹部に貯められた水を、少雨によって土壌等が乾燥状態となった際に、底部から敷板を介して土壌の一様に若しくは土壌の略全範囲に供給できるため、土壌で生育する苔に満遍なく水分を供給でき、これにより、土壌に生育する苔を全体的に良好に生育することができる極めて実用性に秀れた画期的な苔を用いる緑化装置となる。
【００９９】
また、請求項３記載の発明においては、降雨などにより収納体に過剰に水分が供給されても、土壌や苔が水に浸って収納体から過剰な水が溢れ出てしまうことがなく、また、苔を生育させるのに十分な量の水を収納体の底部に保持できることとなるため、少雨などによる乾燥状態が長期間に亙ったとしても、土壌に水を良好に供給でき、よって、苔を長期間に亙って鮮やかな緑色の状態で良好に生育させることができる極めて実用性に秀れた画期的な苔を用いる緑化装置となる。
【０１００】
また、請求項４記載の発明においては、前記多数の凹部に貯められる水以外にも、敷板内に多量の水分を保持できることとなるため、少雨による乾燥状態が一層長期間に及んだとしても、この敷板に保持した水分も土壌に供給して苔を枯らすことなく生育させることができ、そのため、鮮やかな緑を有する状態を一層長期間にわたって維持することができる。
【０１０１】
しかも、この敷板の下方には、前述のように多数の凹部が形成されているため、例えば敷板内の水分量が少なくなった場合には、多数の凹部内に貯められた水が徐々に蒸発し、この蒸発した水分が敷板内に供給されて保持され、この敷板内に保持された水分が土壌内に供給されることで、土壌内に水分を供給できることとなるため、乾燥状態が更に長期間に亙っても、苔に水分を良好に供給し続けることができる。
【０１０２】
また、敷板を保水性を有する素材で形成することで、凹部内に貯められた水（水分）が敷板に対して偏って供給されたとしても、この水分が保水性を有する敷板内で一旦保持されてから土壌内に供給されることで、水分は敷板内に満遍なくいき渡ってから土壌に供給されることとなるため、土壌に満遍なく水分を供給することができる極めて実用性に秀れた画期的な苔を用いる緑化装置となる。
【０１０３】
また、請求項５記載の発明においては、上述した苔を用いる緑化装置を、緑化したい所定の部位に単に並設載置するだけで、この所定の部位を緑化することができる極めて実用性に秀れた画期的な苔を用いる緑化方法となる。
【０１０４】
即ち、底部に多数の凹部を形成した浅箱状の収納体内に、通水性を有する敷板を前記多数の凹部に対して架設状態となるように配設し、この敷板上に土壌を収納してこの土壌に苔を全面的に生育させることで、この苔を生育させた収納体を前記所定の部位に並設載置するだけで、前記所定の部位を緑化することができる極めて実用性に秀れた画期的な苔を用いる緑化方法となる。
【０１０５】
また、請求項６〜８のいずれか１項に記載の発明においては、前述の苔を用いる緑化装置を用いて前記作用効果を確実且つ良好に緑化することができる極めて実用性に秀れた画期的な苔を用いる緑化方法となる。
【０１０６】
また、請求項９記載の発明においては、土壌で苔を生育させた軽量な収納体を屋上に運搬し、所定の箇所に単に載置するだけで、屋上を、まるで芝生を生やしたかのように鮮やかな緑色で緑化することができ、しかも、苔は、前述のように少量の水で生育できるため、屋上に灌水装置を設ける必要もなく、よって、極めて簡易な構成にしてコスト安に施工することができ、更に、苔は強風でも飛散してしまうことがなく、また、季節によって落葉することもないため、屋上緑化における維持管理も手間いらずで行うことができる極めて簡易に行うことができる画期的な苔を用いる緑化方法となる。
【図面の簡単な説明】
【図１】本実施例の建物の屋上に苔を用いて緑化部位を形成したことを示す説明斜視図である。
【図２】本実施例の緑化部位を示す拡大説明斜視図である。
【図３】本実施例の収納体１の底部に形成した多数の凹部２及びオーバーフロー孔６を示す説明平面図である。
【図４】本実施例の使用状態を示す説明側断面図である。
【符号の説明】
１  収納体
２  凹部
３  敷板
４  苔
５  土壌
６  オーバーフロー孔
【図１】
2004248631.tif 000003
【図２】
2004248631.tif 000004
【図３】
2004248631.tif 000005
【図４】
2004248631.tif 000006